(57)【要約】      （修正有）【課題】尿の飛び散りを防止するとともに、尿の回収率が向上する便器を提供する。【解決手段】底部に第１開口部１１を有する便受け部１０と、便受け部１０の前方側に配置され、底部に第２開口部２１を有する尿受け部２０と、から構成される便鉢３０を備える便器１であって、尿受け部２０は、その前後方向の最大寸法Ｕが、その左右方向の最大寸法Ｗより大きく、かつ便受け部１０の前後方向の最大寸法Ｆよりも大きい、便器１である。尿受け部２０の上面の開口面積は、便受け部１０の上面の開口面積よりも大きい。【選択図】図２
2017080163.tif 000002
【特許請求の範囲】
【請求項１】
底部に第１開口部を有する便受け部と、前記便受け部の前方側に配置され、底部に第２開口部を有する尿受け部と、から構成される便鉢を備える便器であって、
前記尿受け部は、その前後方向の最大寸法が、その左右方向の最大寸法より大きく、かつ前記便受け部の前後方向の最大寸法よりも大きい、便器。
【請求項２】
前記尿受け部の上面の開口面積は、前記便受け部の上面の開口面積よりも大きい請求項１に記載の便器。
【請求項３】
前記尿受け部は、その左右方向の中央部が前方側に突出している請求項１又は２に記載の便器。
【請求項４】
前記第２開口部の中心から前記尿受け部の前方側の端部までの距離が、前記第１開口部の中心から前記第２開口部の中心までの距離と同等又はそれ以上である請求項１〜３のいずれか１項に記載の便器。
【請求項５】
前記第２開口部は、その高さ方向の位置が前記第１開口部の高さ方向の位置と同等又はそれよりも下方に配置される請求項４に記載の便器。
【発明の詳細な説明】
【技術分野】
【０００１】
本発明は、便器に関する。
【背景技術】
【０００２】
従来、屎尿を糞便と尿とに分けて回収し、別々に処理することで、屎尿の処理を効率的に行うことのできる二穴式の便器が知られている。この便器では、屎尿を分けて回収するために、糞便を回収する便受け部が便器の奥側に、尿を回収する尿受け部が便器の手前側に配置されている（例えば、特許文献１）。
【先行技術文献】
【特許文献】
【０００３】
【特許文献１】特開２００７−０３７８９８号公報
【０００４】
図６（ａ）は従来の便器の平面図であり、図６（ｂ）は、図６（ａ）の便器のＡ−Ａ断面図である。図６（ａ）に示すように、従来の便器では、便器は緩やかな曲率で手前側が湾曲する略Ｕ字状に形成されている。このような便器では、尿を回収する尿槽に接続される尿受け部９０の開口部９１が、便器の手前側の周縁に近接しており、開口部９１と便器の手前側の周縁までの距離が近かった。また、図６（ｂ）に示すように、尿受け部９０の開口部９１は、糞便を回収する便受け部８０の開口部８１よりも底が浅く形成されていた。
【発明の概要】
【発明が解決しようとする課題】
【０００５】
従来のように、開口部と便器の手前側の周縁までの距離が短いと、男性が立って使用する場合には、放尿を行う対象となる面積が小さく、尿が便器内に納まらずに、便器の外へ飛び散り周囲を汚すという問題があった。また、尿受け部が浅いと、尿受け部に当たった尿も、跳ね返って便器の外へ飛び散り、同様に周囲が汚れるという問題があった。さらに、尿が飛び散るため、尿の回収率が低くなるという問題があった。
【０００６】
本発明は、尿の飛び散りを防止するとともに、尿の回収率が向上する便器を提供することを目的とする。
【課題を解決するための手段】
【０００７】
上記目的を達成するため本発明は、底部に第１開口部（例えば、後述の第１開口部１１）を有する便受け部（例えば、後述の便受け部１０）と、前記便受け部の前方側に配置され、底部に第２開口部（例えば、後述の第２開口部２１）を有する尿受け部（例えば、後述の尿受け部２０）と、から構成される便鉢（例えば、後述の便鉢３０）を備える便器（例えば、後述の便器１）であって、前記尿受け部は、その前後方向の最大寸法が、その左右方向の最大寸法より大きく、かつ前記便受け部の前後方向の最大寸法よりも大きい、便器を提供する。
【０００８】
前記尿受け部の上面の開口面積は、前記便受け部の上面の開口面積よりも大きいことが好ましい。
【０００９】
前記尿受け部は、その左右方向の中央部が前方側に突出していることが好ましい。
【００１０】
前記第２開口部の中心から前記尿受け部の前方側の端部までの距離が、前記第１開口部の中心から前記第２開口部の中心までの距離と同等又はそれ以上であることが好ましい。
【００１１】
前記第２開口部は、その高さ方向の位置が前記第１開口部の高さ方向の位置と同等又はそれよりも下方に配置されることが好ましい。
【発明の効果】
【００１２】
本発明によれば、尿の飛び散りを防止するとともに、尿の回収率が向上する便器を提供することができる。
【図面の簡単な説明】
【００１３】
【図１】第１実施形態に係る便器を示す斜視図である。
【図２】第１実施形態に係る便器の上面図である。
【図３】第１実施形態に係る便器を示し（ａ）図は側面図であり、（ｂ）図は正面図である。
【図４】第２実施形態に係る便器の上面図である。
【図５】第２実施形態に係る便器を示し（ａ）図は側面図であり、（ｂ）図は正面図である。
【図６】従来の便器を示し、（ａ）図は上面図であり、（ｂ）図は（ａ）図のＡ−Ａ断面図である。
【発明を実施するための形態】
【００１４】
以下、本発明の第１実施形態について、図面を参照しながら詳しく説明する。
なお、本明細書においては、使用時に排便する側を後方又は奥側、排尿する側を前方又は手前とし、これらを結ぶ前後方向に平面視において直交する方向を左右方向とする。
図１は、本発明の第１実施形態に係る便器１を示す斜視図である。第１実施形態では、便器１は、使用者が腰を掛けて使用するいわゆる洋式便器である。図１に示すように、便器１は、前後方向に長い縦長の形状を有し、便器１は、便鉢３０と、便鉢３０の支持部４０と、により構成される。
【００１５】
便鉢３０は、上方に開口した二つの凹部が連続して一体に成形されたものである。便鉢３０は、これらの凹部を構成する便受け部１０及び尿受け部２０と、上面部３１と、縁部３２と、を有する。
【００１６】
図２は、便器１の上面図であり、図３（ａ）は、便器１の側面図であり、図３（ｂ）は、便器１の正面図である。
便受け部１０は、便器１の後方に配置され、便鉢３０の上面部３１から下方に窪んだ凹部である。図２に示すように、便受け部１０は、第１開口部１１と、内壁部１２と、を有する。図３（ａ）及び図３（ｂ）に示すように、便受け部１０は、その後方側は略矩形状で平坦に形成されている。
【００１７】
第１開口部１１は、長方形の貫通した穴であり、長手方向が便器１の左右方向に沿うように便受け部１０の底部に配置されている。第１開口部１１は、直下に配置される配管９に接続され、配管９（図１参照）を介して便を収容する便槽（図示せず）に接続されている。第１開口部１１の下方端部は、配管９の形状に合わせて半円形に切り欠かれている。
【００１８】
内壁部１２は、上面部３１側と第１開口部１１とを繋ぐ傾斜した壁面である。図２及び図３（ａ）に示すように、内壁部１２は、第１開口部１１の奥側と両端部側では、便鉢３０の上面部３１と連続するよう形成される。内壁部１２は、第１開口部１１の手前側の長辺からは、手前側に傾斜して延び、内壁部上端１２ａを有する。
【００１９】
尿受け部２０は、便受け部１０の前方に配置され、便鉢３０の上面部３１から下方に窪んだ凹部である。図２に示すように、平面視で、尿受け部２０は、曲率の異なる２種類の半円又は楕円が、接続されたような形状をしている。尿受け部２０は、尿受け部２０の上面の開口面積が、便受け部１０の上面の開口面積よりも大きく形成されている。
【００２０】
図２に示すように、尿受け部２０は、前後方向の最大寸法Ｕが、左右方向の最大寸法Ｗよりも大きく形成されている。なお、本実施形態において、尿受け部２０の左右方向における最大寸法Ｗは、便受け部１０と尿受け部２０とを接続する境界部に位置している便受け部１０の内壁部上端１２ａの尿受け部２０側に位置している。また、尿受け部２０の前後方向の最大寸法Ｕは、便受け部１０の前後方向の最大寸法Ｆよりも長く形成されている。
【００２１】
尿受け部２０は、第２開口部２１と、前方突出部２２と、後方湾曲部２３と、尿受け管２４と、を有する。
【００２２】
第２開口部２１は、尿受け部２０の底部に配置される円形の貫通した穴であり、配管（図示せず）を介して尿を収容する尿槽（図示せず）に接続される。図３（ａ）に示すように、第２開口部２１は、その高さ方向の位置Ｈ２が、第１開口部１１の高さ方向の位置Ｈ１よりも下方に配置される。例えば、第２開口部２１は、従来と比べて１００ｍｍ以上下方に配置される。
【００２３】
図２に示すように、第２開口部２１は、第２開口部２１の中心から尿受け部２０の前方側の端部までの距離Ｄ２が、第１開口部１１の中心から第２開口部２１の中心までの距離Ｄ１よりも長くなるように配置されている。
【００２４】
尿受け管２４は、第２開口部２１から下方に延びる。尿受け管２４は、第２開口部２１を配管に接続する。
【００２５】
後方湾曲部２３は、尿受け部２０の後方側に位置する部分である。後方湾曲部２３は、図２に示すように、平面視で、内壁部上端１２ａの両端部近傍から曲率の緩やかな曲線で前方側へ延びる略半円状の範囲である。図２に示すように、平面視で、後方湾曲部２３と便受け部１０とは、略Ｕ字形状の輪郭を形成するように連続している。平面視で、後方湾曲部２３及び便受け部１０の周囲には、上面部３１が略長方形を形成するように延出している。
【００２６】
後方湾曲部２３には、第２開口部２１が配置され、第２開口部２１の後方側では、後方湾曲部２３は、第２開口部２１から上方へ向かって延びる。後方湾曲部２３の後方端部は、内壁部上端１２ａと連続する。後方湾曲部２３の第２開口部２１から前方側は、前方上方へ向かって緩やかに傾斜する。
【００２７】
前方突出部２２は、後方湾曲部２３から前方側に位置する。図２に示すように、前方突出部２２は、尿受け部２０における後方湾曲部２３の左右方向の両端部よりも狭い幅を有する。前方突出部２２は、平面視で後方湾曲部２３の左右方向の両端部よりも大きな曲率で、中央部が前方側に延びて突出している。詳細には、前方突出部２２は、便器１の左右方向の両端から緩く傾斜して中央部側へ入り込んだ位置から、図２の仮想中心線ＣＬに向かって左右方向から対称に前方へ突出する。言い換えれば、前方突出部２２の左右方向の両脇部は、脚を配置しやすいように便器側へ凹ませた凹形状に形成されている。前方突出部２２は、例えば、立ち小便器のような形状をしている。
【００２８】
上面部３１は、平坦な面を有し、便受け部１０及び尿受け部２０の二つの凹部の周囲を一体に接続する。図２に示すように、上面部３１は、平面視で略長方形であり、前方側の短辺の中央部を、前方突出部２２に沿って前方側へ突出させた輪郭を有する。上面部３１は、前方側の短辺の左右方向両端部側では、曲率の小さい緩やかな曲線で、中央部側へ膨出し、左右方向の中央部側に近づくにしたがって、曲率の大きな急な曲線で突出している。上面部３１は、平面視で長辺に沿う部分は、使用者の臀部及び脚の一部を支持する所定幅のリム部３１０を有して形成されるが、前方側の短辺における突出した部分では、長辺に沿う部分と比べてリム部３１０は細く形成されている。前方側の突出した部分のリム部３１０が細いため、前方側に尿等の汚れが付きにくくなっている。
縁部３２は、上面部３１から下方に延びて上面部３１の厚み部分を構成する。
【００２９】
以上の便鉢３０は、支持部４０に支持されて設置される。支持部４０は、向かい合う一対の板面４２と、四本の脚４１と、を有する。一対の板面４２は、便器１の長手方向に沿う縁部３２の裏に取り付けられる。また、板面４２には配管９の挿通する穴が形成されている。四本の脚４１は、上下方向に延び、板面４２の長手方向の両端部に固定される。
支持部４０は、便鉢３０の便受け部１０と後方湾曲部２３の周囲に延びる上面部３１の裏側から便鉢３０を支持する。
【００３０】
次に、第１実施形態の便器１の使用の状態について説明する。
便器１は、女性が使用する場合や、男性が排便する場合は、上面部３１の上に便座（図示せず）を載置し、便座に腰を掛けて、脚を前方突出部２２の両脇に降ろして使用される。便は第１開口部１１に落下して、配管９を介して便槽へ回収される。尿は第２開口部２１へ集められ、尿受け管２４から配管（図示せず）を介して尿槽へ回収される。
【００３１】
便器１を男性が立って使用する場合、使用者は、脚を前方突出部２２の両側に配置する。この状態では、前方突出部２２は、使用者の脚の間に配置される。使用者は、主に第２開口部２１を目指して放尿する。
【００３２】
第２開口部２１は、第２開口部２１の中心から尿受け部２０の前方側の端部までの距離Ｄ２が、第１開口部１１の中心から第２開口部２１の中心までの距離Ｄ１よりも長くなるように配置されているので、便器を視認したときに、尿受け部２０の面積が大きいことがわかる。
【００３３】
尿受け部２０は、便受け部１０よりも深く形成されているので、第２開口部２１に入らなかった尿も、尿受け部２０の後方湾曲部２３や前方突出部２２の内壁面に当たって第２開口部２１へ落ちる。
【００３４】
第１実施形態によれば、以下の効果が奏される。
本実施形態では、便器１を、底部に第１開口部１１を有する便受け部１０と、便受け部の前方側に配置され、底部に第２開口部２１を有する尿受け部２０と、から構成される便鉢３０を含んで構成した。また、尿受け部２０を、その前後方向の最大寸法Ｕが、その左右方向の最大寸法Ｗより大きく、かつ便受け部１０の前後方向の最大寸法Ｆよりも大きくなるように形成した。
【００３５】
本実施形態によれば、尿受け部２０が縦長に形成され、かつ尿受け部２０の方が便受け部１０よりも前後方向の長さが長く形成された。これにより、放尿のターゲット面積を広くすることができ、尿が便器１の外へ飛び散ることを、格段に抑制することができる。したがって、尿の回収をすることができ、尿の回収率が向上する。
【００３６】
本実施形態によれば、尿受け部２０の上面の開口面積を、便受け部１０の上面の開口面積よりも大きく形成した。これにより、上記と同様の効果を奏する。
【００３７】
本実施形態によれば、尿受け部２０の左右方向の中央部を前方側に突出させた。
これにより、尿受け部２０の左右方向の中央部が前方側へ突出するので、この突出した部分を跨ぐように立つことができる。突出した部分を脚で跨ぐように立つと、使用者が便器１の奥へ近づくことになり、尿をより便器１の中心側へ放尿することができるとともに、脚の間に落ちた尿も前方突出部２２によって回収される。また、立ち小便器と同様に尿の回収をすることができ、尿の回収率が向上する。
また、尿受け部２０の左右方向の中央部のみが前方側へ突出する形状により、第１開口部１１と第２開口部２１との間の距離が離れていても、洋式便器の場合に、使用者が腰を掛け、尿受け部２０の左右方向の両側に脚を下ろして利用することが可能である。
【００３８】
本実施形態によれば、第２開口部２１の中心から尿受け部２０の前方側の端部までの距離Ｄ２を、第１開口部１１の中心から第２開口部２１の中心までの距離と同等又はそれ以上に構成した。これにより、放尿のターゲット面積を広くすることができ、上記と同様の効果を奏する。
【００３９】
本実施形態によれば、第２開口部２１を、その高さ方向の位置Ｈ２が第１開口部１１の高さ方向の位置Ｈ１よりも下方になるように配置した。これにより、尿が尿受け部２０に当たって跳ね返っても、尿受け部２０が深く形成されているので、尿受け部２０で跳ね返った尿を受け止め、下方へ滑らせて第２開口部２１により回収することができる。よって、尿の回収率が向上する。
【００４０】
次に、図４〜図５（ａ）及び図５（ｂ）を参照して、第２実施形態に係る便器１Ａについて説明する。第２実施形態の説明において、第１実施形態と共通する構成については、共通する符号を用いる。また、特に説明しない構成については、第１実施形態と同様である。
図４〜図５（ａ）及び図５（ｂ）に示すように、第２実施形態に係る便器１Ａは、使用者が腰を下ろして跨って使用する、いわゆる和式便器である。
第２実施形態では、便器１Ａが和式であること、また、尿受け部７０の前方側端部が、左右方向の両端部から半円を描くように形成されていることを除いては、第１実施形態と同様の構成を有する。
【００４１】
図４に示すように、便器１Ａは、便鉢６０と、支持部（図示せず）を有する。
便鉢６０は、上方に開口した二つの凹部が連続して一体に成形されたものである。便鉢６０は、これらの凹部を構成する便受け部１０及び尿受け部７０と、上面部６１と、縁部６２と、を有する。
【００４２】
上面部６１は、長方形の輪郭を有して形成される。上面部６１は、幅方向の中央部に配置された凹部を挟んで両側に、足裏を配置させるため水平方向に幅広に延びる足置き部６３を有する。足置き部６３は、上面部６１の平坦な面から、足裏の形状に沿って横縞状に一部を隆起させた隆起部６３ａにより形成される。
【００４３】
図５（ａ）は、便器１Ａの側面図であり、図５（ｂ）は、便器１の正面図である。
便受け部１０は、便器１の後方に配置され、便鉢３０の上面部６１から下方に窪んだ凹部である。図２に示すように、便受け部１０は、第１開口部１１と、内壁部１２と、を有する。便受け部１０の構成は第１実施形態と同様である。
【００４４】
尿受け部７０は、便受け部１０の前方に配置され、便鉢６０の上面部６１から下方に窪んだ凹部である。図４に示すように、平面視で、尿受け部７０は、便受け部１０側から同じ幅を有して前端部近傍まで延び、前端部で半円形に湾曲する。尿受け部７０は、第２開口部７１を有する。
【００４５】
図５（ａ）及び図５（ｂ）に示すように、第２実施形態においても、第２開口部７１は、その高さ方向の位置Ｈ４が、第１開口部１１の高さ方向の位置Ｈ４よりも下方に配置される。
また、図４及び図５（ａ）に示すように、第２開口部７１は、第２開口部７１の中心から尿受け部７０の前方側の端部までの距離Ｄ４は、第１開口部１１の中心から第２開口部７１の中心までの距離Ｄ３よりも長くなるように配置される。
【００４６】
次に、第２実施形態の便器１Ａの使用の状態について説明する。
第２実施形態では、使用者は、足置き部６３に足を置いて、しゃがんで用を足す。この状態で、便は第１開口部１１に落下して、配管９を介して便槽へ回収される。尿は第２開口部７１へ集められ、尿受け管２４から配管（図示せず）を介して尿槽へ回収される。
【００４７】
便器１Ａを男性が立って使用する場合、尿は足を置いた位置から、より前方に放尿される。第２実施形態においても、第２開口部から尿受け部７０の前端部までに十分な距離Ｄ４があるため、尿の大部分が尿受け部７０に落下する。
【００４８】
第２実施形態によっても、第１実施形態と同様の効果を奏する。特に、和式便器の場合は、尿受け部の位置が、洋式便器と比べると低くなり、その分跳ね返りやすくなる。しかし、第２実施形態の構成によれば、尿の飛び散りが抑制され、回収率が向上するので、好ましい。
【００４９】
なお、本発明は上記実施形態に限定されるものではなく、本発明の目的を達成できる範囲での変形、改良等は本発明に含まれる。
例えば、第１実施形態では、便器１の上面部３１における左右方向の両端部から、前方突出部２２にかけては、緩く湾曲した形状に形成されているが、これに限られない。洋式型の便器においては、便受け部及び後方湾曲部が連続し、その周囲で上面部が一体的に連続して形成されて、一体的に形成された上面部の前方で、左右方向の中央側から前方突出部が突出し、前方突出部の左右方向の両脇が便器側へ凹んで形成されていればよい。例えば、便受け部及び後方湾曲部が連続した部分の周囲で、上面部の外形が略矩形状に形成され、前方突出部が長方形に形成されて、前方突出部の左右方向の両脇が後方湾曲部側へ逆Ｌ字型に窪んでおり、全体として前方突出部の近傍がＴ字型に形成されていてもよい。
【００５０】
また、上記実施形態では、便受け部１０は便槽に接続されており、尿受け部２０は尿槽に接続されているが、これに限られない。便受け部１０及び尿受け部２０は、他の構造物に接続されていてもよい。
【００５１】
また、上記実施形態では、第２開口部２１、７１の中心から尿受け部２０、７０の前方側の端部までの距離Ｄ２、Ｄ４が、第１開口部１１の中心から第２開口部２１、７１の中心までの距離Ｄ１、Ｄ３よりも長く形成されているが、これに限られない。第２開口部２１、７１の中心から尿受け部２０、７０の前方側の端部までの距離は、第１開口部１１の中心から第２開口部２１、７１の中心までの距離と同等かそれ以上であればよく、同一であってもよい。
また、上記実施形態の便器に、便蓋を設けてもよい。
【符号の説明】
【００５２】
１    便器
１０  便受け部
２０  尿受け部
３０  便鉢
１１  第１開口部
２１  第２開口部
【図１】
2017080163.tif 000003
【図２】
2017080163.tif 000004
【図３】
2017080163.tif 000005
【図４】
2017080163.tif 000006
【図５】
2017080163.tif 000007
【図６】
2017080163.tif 000008